(57)【要約】【課題】  小径竿体を伸長状態に維持する圧接力を長期に亘って維持できる振出竿を提供する点にある。【解決手段】  元上１０の後端側端部の外周面と元竿１１の先端側端部の内周面とに亘って形成した合わせ部Ｂによって、元上１０と元竿１１とを伸長状態に保持すべく構成する。元上１０の後端側端面の外周面に、相手側周面に圧接する複数個の突起９を形成し、複数個の突起９の元上１０の後端側端面の外周面からの突出高さを異なる高さに設定してある。【選択図】        図１
2008263819.tif 000002
【特許請求の範囲】
【請求項１】
小径竿体の外周面と大径竿体の内周面とに亘って形成した合わせ部によって、小径竿体と大径竿体とを伸長状態に保持する振出竿であって、
前記外周面又は前記内周面の少なくとも一方の周面に、相手側周面に圧接する複数個の突起を形成して前記合わせ部を構成するとともに、前記複数個の突起の前記一方の周面からの突出高さを異なる高さに設定してある振出竿。
【請求項２】
前記小径竿体の最外層の外側に竿尻補強パターンを配置し、前記竿尻補強パターンを、強化繊維群を竿軸線に対して傾斜する傾斜角に沿って引き揃え配置した下側プリプレグと、前記強化繊維群を前記下側プリプレグの強化繊維群と前記竿軸線に対して対称となる状態に引き揃え配置した上側プリプレグとを重ね合わせて構成し、前記上側プリプレグの更に外側に前記複数個の突起を設けてある請求項１記載の振出竿。
【請求項３】
柔軟性繊維をクロスに組み合わせて構成したシート状のものに、マトリックス樹脂を含浸させて形成し前記柔軟性繊維を表出させた補助シート領域と、相手側周面に圧接する複数個の突起を突出高さが異なる状態に形成した突起領域とで合わせ部を構成し、前記突起領域を前記補助シート領域より竿尻側に配置してある請求項１又は２記載の振出竿。
【請求項４】
前記小径竿体の最外層の外側に竿尻補強パターンを配置し、前記竿尻補強パターンを、前記上側プリプレグと下側プリプレグとを重ねたバイアス領域と、前記複数個の高さの異なる突起を形成した突起領域と、前記柔軟性繊維を組み合わせた前記補助シート領域とで構成し、前記小径竿体の最外層に前記突起領域を配置するとともに、前記突起領域の竿元側に前記補助シート領域と前記バイアス領域とをその順番に配置してある請求項１又は２記載の振出竿。
【発明の詳細な説明】
【技術分野】
【０００１】
本発明は、小径竿体の外周面と大径竿体の内周面とに亘って形成した合わせ部によって、小径竿体と大径竿体とを伸長状態に保持すべく構成してある振出竿に関する。
【背景技術】
【０００２】
合わせ部において、小径竿体の外周面と大径竿体の内周面とのいずれか一方に、相手側周面に圧接して、伸長状態を保持する突起を形成したものがあった。この突起は樹脂塗料によって形成したもので、相手側周面に圧接してやや撓みを生じ、伸長状態を保持する保持力を出していた。
【０００３】
【特許文献１】特開平６−２０５６２６号（段落番号〔００２０〕、図１、図３）
【発明の開示】
【発明が解決しようとする課題】
【０００４】
上記突起は、使用期間が長期に亘ると、圧接端から摩滅を生じ、圧接力を低下させる。したがって、全ての突起が同一突出高さに形成されていると、初期段階では、全ての突起が予定された圧接力で相手側周面に対して圧接する。しかし、摩滅を生じてくると、全ての突起が摩滅を生じるところから、突起が一様に圧接力を低下させる虞があった。これによって、圧接力が弱化し、最終的には、小径竿体の伸長状態を維持できないこともあった。
【０００５】
本発明の目的は、上記欠点を解消し、小径竿体を伸長状態に維持する圧接力を長期に亘って維持できる振出竿を提供する点にある。
【課題を解決するための手段】
【０００６】
〔構成〕
請求項１に係る発明の特徴構成は、小径竿体の外周面と大径竿体の内周面とに亘って形成した合わせ部によって、小径竿体と大径竿体とを伸長状態に保持する振出竿であって、
前記外周面又は前記内周面の少なくとも一方の周面に、相手側周面に圧接する複数個の突起を形成して前記合わせ部を構成するとともに、前記複数個の突起の前記一方の周面からの突出高さを異なる高さに設定してある点にあり、その作用効果は次の通りである。
【０００７】
〔作用〕
つまり、複数個の突起のうち突出高さの高いものが、初期段階では、相手側周面に圧接する。突出高さの低いものは圧接しない。長期使用によって突出高さの高い突起が摩滅してくると、嵌合力が弱くなるので、嵌合力を一定に維持しようとして、小径竿体を大径竿体に対してより引き出した状態に切り換える。
このように、嵌合力が弱くなる場合に、小径竿体を大径竿体に対してより引き出した状態に切り換える理由は、大径竿体の内周面が製作時のマンドレルの外周面に対応した緩傾斜面に形成されているので、大径竿体の内周面の竿先側程小径となっており、突起が摩滅した分だけ、大径竿体の内周面の竿先側で嵌合させようとするからである。
これによって、小径竿体の竿尻側端部の外周面が大径竿体の竿先側端部の内周面に対して竿先側にやや移動した位置で嵌合する。そうすると、次ぎに高い突起が相手側周面に圧接を開始しその接触圧力が高くなり、摩滅によって圧接力を低下させた分を、新たに接触した突起が補うこととなる。
このように、順番に突出高さの高い突起が新たに相手側周面に対して圧接を開始するので、摩滅によって圧接力を低下させた分を補い、圧接力を一定に維持できる。
【０００８】
〔効果〕
突起の磨耗があっても、圧接力が急激に低下することはなく、一定した圧接を維持しながら安定した合わせ部を構成できる。しかも、突起として、突出高さを異なるものに構成してあるので、全ての突起が接触する場合に比べて、圧接力を弱くできる。これによって、小径竿体を大径竿体より引き出して伸長状態に切り換える場合に、小径竿体の竿尻側端部の外周面が大径竿体の竿先側端部の内周面に急激に圧接することはなく、一定の適度な圧接力が持続する状態で嵌合する。
したがって、操作する釣り人には衝撃の少ない伸長操作が可能になり、操作感が良好である。しかも、前記したように、圧接力が長記に亘って安定して維持されるので、操作が容易である。
【０００９】
請求項２に係る発明の特徴構成は、前記小径竿体の最外層の外側に竿尻補強パターンを配置し、前記竿尻補強パターンを、強化繊維群を竿軸線に対して傾斜する傾斜角に沿って引き揃え配置した下側プリプレグと、前記強化繊維群を前記下側プリプレグの強化繊維群と前記竿軸線に対して対称となる状態に引き揃え配置した上側プリプレグとを重ね合わせて構成し、前記上側プリプレグの更に外側に前記複数個の突起を設けてある点にあり、その作用効果は次の通りである。
【００１０】
〔作用効果〕
請求項１に係る発明に対する作用効果を奏するとともに、次ぎのような作用効果を奏する。
つまり、突起を支持する部分が、強化繊維を竿軸線に対して対称となる状態に配置した上下側プリプレグを重ねて構成したものであるので、竿軸線に沿った荷重、竿軸線に直交する荷重、及び、竿軸線に対して傾斜する荷重にもそれらの強化繊維が対抗力を発揮する。これによって、互いに嵌合した外周面と内周面との間に働く引張力、圧縮力、だけでなく、剪断力に対する対抗力を高めることができ、突起の圧接状態を強固に維持する。
【００１１】
請求項３に係る発明の特徴構成は、柔軟性繊維をクロスに組み合わせて構成したシート状のものに、マトリックス樹脂を含浸させて形成し前記柔軟性繊維を表出させた補助シート領域と、相手側周面に圧接する複数個の突起を突出高さが異なる状態に形成した突起領域とで合わせ部を構成し、前記突起領域を前記補助シート領域より竿尻側に配置してある点にあり、その作用効果は次の通りである。
【００１２】
〔作用効果〕
つまり、相手側周面に圧接するものとして突起領域の突起とともに補助シート領域の柔軟性繊維を導入したので、突起のみで合わせ部を構成する場合に比べて、全体として柔らかな圧接力を得ることができる。
しかも、補助シート領域を竿先側に配置してあるので、まず、突起に比べて軟らかい柔軟性繊維が圧接し、次いで、突起が圧接することになるので、徐々に、圧接力が高まり、小径竿体を引き出して伸長状態に固定するまでの操作感が良好なものとなる。
【００１３】
請求項４に係る発明の特徴構成は、前記小径竿体の最外層の外側に竿尻補強パターンを配置し、前記竿尻補強パターンを、前記上側プリプレグと下側プリプレグとを重ねたバイアス領域と、前記複数個の高さの異なる突起を形成した突起領域と、前記柔軟性繊維を組み合わせた前記補助シート領域とで構成し、前記小径竿体の最外層に前記突起領域を配置するとともに、前記突起領域の竿元側に前記補助シート領域と前記バイアス領域とをその順番に配置してある点にあり、その作用効果は次の通りである。
【００１４】
〔作用効果〕
上記のように、順番に配置することによって、部分的に相手側周面に対して圧接し圧接力を調整し易い突起領域と補助シート領域とを、先行して圧接するように構成し、急激に圧接する状態を回避して、穏かな嵌合を開始することができる。そして、全面的に圧接するバイアス領域を竿尻側に配置して、そのバイアス領域が伸長操作時の最終段階で圧接する構成によって、突起領域や補助シート領域に比べて大きな圧接力を作用させることができ、嵌合状態を確定できる。
このような構成によって、嵌合操作を操作感よく行えながら、しっかりした伸長状態を得ることができる。
【発明を実施するための最良の形態】
【００１５】
〔第１実施形態〕
ここでは、図１に示すように、合わせ部Ｂとして、嵌合用の突起９を形成したものを示す。まず、小径竿体としての元上１０と大径竿体としての元竿１１等の竿体Ａの製造から説明する。図２に示すように、マンドレル４に対してプリプレグシートを巻回して竿体Ａを構成する。周方向に炭素繊維等の強化繊維を引き揃え、その引き揃えた強化繊維に対してマトリックス樹脂としてエポキシ等の熱硬化性樹脂を含浸させてプリプレグシートを構成し、プリプレグシートを所定形状に裁断して第１メインパターン１５Ａとしてマンドレル４に巻回し、第１層Ａａを構成する。
【００１６】
同様に強化繊維を竿軸線方向に配置したプリプレグシートを所定形状に裁断して第２メインパターン１５Ｂとしてマンドレル４に巻回して、第２層Ａｂを構成する。最外層としての第３層Ａｃは、第１層Ａａと同じく強化繊維を周方向に配置したプリプレグシートを所定形状に裁断して第３メインパターン１５Ｃとしてマンドレル４に巻回し、構成されている。
【００１７】
図１及び図２に示すように、第３層Ａｃの外面で竿先側端部と竿尻側端部とに、軸線方向長さがメインパターン１５に比べて短い竿先側補強パターン１２Ａと竿尻側補強パターン１２Ｂとを巻回して、竿先側端部と竿尻側端部での補強を図っている。竿先側補強パターン１２Ａと竿尻側補強パターン１２Ｂとにおいて使用されるプリプレグはメインパターン１５と同様のものであり、強化繊維を周方向に引き揃えたものでなっている。
【００１８】
強化繊維ｃとしては、炭素繊維以外にガラス繊維及びボロン繊維等が使用でき、熱硬化性樹脂としてはフェノール樹脂等が使用可能である。含浸させる樹脂としては、熱可塑性樹脂も使用できる。また、それらプリプレグの強化繊維ｃとしては、炭素繊維でメインパターンに２０〜６０トン／ｍｍ2の弾性率のもの、補強パターンに１０〜２０トン／ｍｍ2の弾性率のものを使用することになる。
【００１９】
つぎに、合わせ部Ｂの構成について説明する。一般的に、合わせ部Ｂは、小径竿体の竿尻側端部の外周面と大径竿体の竿先側端部の内周面とを圧接させる状態に形成することによって、構成される。ここでは、小径竿体としての元上１０の竿尻側端部の外周面に複数個の突起９を配置してあるものについて説明する。
【００２０】
図１及び図２に示すように、突起９は、形態の異なるものが散点状に配置してあり、突出高さが夫々異なり、かつ、相手側周面に圧接する接触面積も異なるものが混在している。このような構成によって、作用効果の項で述べたように、突起９の相手面に対する圧接力を変化の少ない状態に維持できるのである。
【００２１】
突起９の製造工程について説明する。前記した竿先側補強パターン１２Ａ、竿先側補強パターン１２Ｂを施した状態で、図示してはいなが、成型テープで竿体全長を緊縛し、その竿体をマンドレル４に取付けた状態で焼成し、焼成後所定長に裁断し、研磨工程によって仕上加工を施す。
【００２２】
図１及び図２に示すように、元上１０の竿尻側端部に対して、紙製のマスキング材１３を被覆する。マスキング材１３には、多数の貫通孔１３ａが散点状に配置され、突起９の形成に利用され、各貫通孔１３ａの孔径は大小多種類の径に設定してある。そして、マスキング材１３における各部の厚さを異なるものに設定することによって、貫通孔１３ａの深さを異なるものにでき、これによって、突起９の突出高さを異なるものに設定できる。
【００２３】
図２（ロ）に示すように、マスキング材１３を竿体Ａとしての元上１０の竿尻側端部に装着し、吹き付けガン１４によって、吹き付け塗装を行うことができる。吹き付けガン１４によって、樹脂塗料をマスキング材１３に吹き付けることによって、マスキング材１３の貫通孔１３ａを通して元上１０の竿尻側端部の外周面に突起９が形成される。突起９の形態は、貫通孔１３ａの孔径が大きなものは大径のもので、マスキング材１３の厚みが厚い部分の貫通孔１３ａを通して形成された突起９は突出高さが高くなる。
尚、元上１０の表面塗装も同じ樹脂塗料を使用する場合には、元上１０の全長に亘って、一連の動作で吹き付け塗装を行うことができる。
【００２４】
以上のように、元上１０の竿尻側端部に形成された突起９の高さが異なるものに形成されている。これによって、突起９が元竿１１の竿先側端部の内周面に圧接し摩滅することがあっても、次に高さの高い突起９が前記内周面に接触し、圧接力が変化することを抑制する。
【００２５】
〔第２実施形態〕
ここでは、突起９を形成する対象となる元上１０の竿尻側端部に、バイアス式のプリプレグを配置してある形態について説明するが、第1実施形態と異なる点を主として説明する。
図３及び図４に示すように、マンドレル４に対して口巻補強パターン５を施してある。口巻補強パターン５は、竿軸線Ｘに対して第４傾斜角θ４だけ傾斜させて引き揃えた炭素繊維等の強化繊維ｃに対して、マトリックス樹脂としてのエポキシ等の熱硬化性樹脂を含浸させて形成した上側プリプレグと、強化繊維ｃの引き揃え向きを、上側プリプレグの強化繊維ｃと竿軸線Ｘを挟んで対称に配置して形成した下側プリプレグとを重ね合わせたバイアス式の重合体である。
【００２６】
図３（ロ）に示すように、口巻補強パターン５を施したマンドレル４に対して、強化繊維ｃを周方向に引き揃えた第１プリプレグテープ１を第1層Ａａとして螺旋状に巻回する。
図３（ハ）に示すように、第１プリプレグテープ１の上から二枚のメインパターンを施す。第１メインパターン２Ａは強化繊維ｃを竿軸線Ｘに沿って引き揃えたプリプレグで、第２メインパターン２Ｂも同一のプリプレグである。
これら二枚のプリプレグを重ねた状態でマンドレル４に巻回するか、または、順番に巻回することによって、第２層Ａｂを構成する。
【００２７】
図３（二）に示すように、二枚のプリプレグを重ねた状態でその上から更に強化繊維ｃを周方向に引き揃えた第２プリプレグテープ３を第３層Ａｃとして螺旋状に巻回する。
第２プリプレグテープ３を巻回した後に、外側竿尻補強パターン６を巻回する。つまり、竿尻補強パターン６は、竿軸線Ｘに対して第３傾斜角θ３だけ傾斜させて引き揃えた炭素繊維等の強化繊維ｃに対してエポキシ等の熱硬化性樹脂を含浸させて形成した上側プリプレグ６Ａと、強化繊維ｃの引き揃え向きを、上側プリプレグ６Ａの強化繊維ｃと竿軸線Ｘを挟んで対称に配置して形成した下側プリプレグ６Ａとを重ね合わせたバイアス式重合体である。
【００２８】
このように、バイアス式の外側竿尻補強パターン６を施すことによって、元上１０の竿尻側端部の外周面を元竿９の竿先側端部の内周面に圧接させて振出竿を伸長状態に保持した場合に、強化繊維ｃを竿軸線Ｘを挟んで対称に配置しているので、それらの強化繊維ｃが竿軸線Ｘに沿った荷重、及び、竿軸線Ｘに直交する荷重のみならず、竿軸線Ｘに傾斜する荷重に対しても対抗力を発揮し、合わせ部位での対剪断力を強化する。
【００２９】
以上のように構成された元上１０の外側竿尻補強パターン６の上から、図２で示したように、吹き付け塗装によって突起９を形成する。図４で示すように、突起９については、突出高さが種々あり、相手側周面への接触面積も異なるものに構成する。
【００３０】
〔第３実施形態〕
元上１０の竿尻側端部の外周面に、突起９を形成する以外に異なる種類のプリプレグを施す形態について説明する。第２実施形態と異なる部分について主として説明する。
図５（イ）（ロ）に示すように、口巻き補強パターン５と内側竿尻補強パターン７とをマンドレル４に巻回するとともに、マンドレル４に巻回した口巻き補強パターン５及び内側竿尻補強パターン７の上から第１層Ａａとしての第１プリプレグテープ１を巻回する。
【００３１】
内側竿尻補強パターン７の構成としては、口巻き補強パターン５と同様の構成を採る。つまり、内側竿尻補強パターン７は、竿軸線Ｘに対して第１傾斜角θ１だけ傾斜させて引き揃えた炭素繊維等の強化繊維ｃに対してエポキシ等の熱硬化性樹脂を含浸させて形成した上側プリプレグと、強化繊維ｃの引き揃え向きを、上側プリプレグの強化繊維ｃと竿軸線Ｘを挟んで対称に配置して形成した下側プリプレグとを重ね合わせたバイアス式重合体である。
【００３２】
図５（ハ）に示すように、第１プリプレグテープ１の上から二枚のメインパターンを施す。第１メインパターン２Ａは強化繊維ｃを竿軸線Ｘに沿って引き揃えたプリプレグで、第２メインパターン２Ｂも同一のプリプレグである。
これら二枚のプリプレグを重ねた状態でマンドレル４に巻回するか、または、順番に巻回することによって、第２層Ａｂを構成する。第２メインパターン２Ｂの上から中間竿尻補強パターン８を巻回する。
【００３３】
中間竿尻補強パターン８の構成としては、内側竿尻補強パターン７と同様の構成を採る。つまり、中間竿尻補強パターン８は、竿軸線Ｘに対して第２傾斜角θ２だけ傾斜させて引き揃えた炭素繊維等の強化繊維ｃに対してエポキシ等の熱硬化性樹脂を含浸させて形成した上側プリプレグと、強化繊維ｃの引き揃え向きを、上側プリプレグの強化繊維ｃと竿軸線Ｘを挟んで対称に配置して形成した下側プリプレグとを重ね合わせたバイアス式重合体である。
【００３４】
さらに、図５（二）に示すように、第３段として第２メインパターン２Ｂ及び中間竿尻補強パターン８の上から外側層としての第２プリプレグテープ３を巻回し、第２プリプレグテープ３の上から外側竿尻補強パターン６を巻回するようにしてある。
【００３５】
外側竿尻補強パターン６の構成としては、次ぎのようなものである。
第２実施形態においては、外側竿尻補強パターン６としては、強化繊維ｃを竿軸線Ｘに対して傾斜させて形成したプリプレグをその強化繊維ｃが互いに交差する状態となるように重ね合わせた重合体６Ａを使用していた。
ここでは、重合体６Ａとともに、次ぎのような補助シート６Ｂを重ね合わせて使用するようにする。
【００３６】
つまり、図６（ハ）に示すように、補助シート６Ｂは、炭素繊維等の強化繊維ｃを円周方向に引き揃えたものにエポキシ等の熱硬化性樹脂を含浸させて形成したプリプレグ６ａに、図６（イ）（ロ）に示すように、ナイロンやポリエステル等の柔軟性の高い合成樹脂繊維ｃ又は天然繊維ｃをクロス組したものにエポキシ等の熱硬化性樹脂を含浸させて形成したプリプレグ６ｂを重ね合わせ、炭素繊維等を円周方向に引き揃えたプリプレグ６ａが内側となるように、重合体６Ａの上から巻回する。
図６（ハ）に示すように、補助シート６Ｂの軸線方向に沿った長さは重合体６Ａよりは短く、重合体６Ａの竿先側に位置するように補助シート６Ｂを巻回する。
【００３７】
以上記載したように、各パターンを順次マンドレル４に巻回することによって、竿体Ａを構成する。また、各補強パターンにおける強化繊維の傾斜角θは、０°から９０°の範囲で設定できるものであるが、望ましくは、４５°から８０°の範囲に設定するのがよい。さらに、第１傾斜角θ1〜第４傾斜角θ4までの傾斜角を同一角に設定してもよく、各傾斜角を異なる角度に設定してもよい。
【００３８】
補助シート６Ｂにおける竿体の表側に位置するプリプレグ６ｂについて詳述すると、図６（イ）に示すように、プリプレグ６ｂは柔軟性の高い合成樹脂繊維ｃ又は天然繊維ｃをクロス編みして、繊維ｃを亀の子状に配置する形状を呈している。図６（ロ）に示すように、繊維ｃに含浸させた樹脂は研磨加工を施して削り取っているので、繊維ｃだけが表面に表出した状態となっており、亀の子状の凹部が形成されている。
したがって、このプリプレグ６ｂが合わせ部Ｂの表面に位置して、相手側の合わせ部Ｂを構成するプリプレグと圧接する状態となっても、亀の子状の凹部の存在によって、水分が介在しても水分は亀の子状の凹部に溜まるだけで圧接状態を強化する方向には作用せず、合わせ部Ｂの固着状態が緩和される。
この補助シート６Ｂは、繊維体にマトリックス樹脂を含浸させてプリプレグとして完成させた後に、重合体６Ａの上から巻回し、その状態で焼成して一体化する。
【００３９】
図６に示すように、一体化した状態で、補助シート６Ｂを施した補助シート領域とその竿尻側に続く外周面に対して研磨加工を施して、繊維を樹脂部分から浮き立たせるようにする。つまり、補助シート６Ｂ部分に研磨加工を施すと、硬い樹脂部分が削り取られ、軟らかい繊維体部分は柔軟性があるので砥石に接触してもその研削作用を受けずに、それから逃げることができる為に繊維体部分に囲まれた部分６ｃが凹むこととなり、繊維体部分が相対的に表出することとなる。
以上のような補助シート６Ｂを設けた後に、補助シート６Ｂより更に竿尻側に、前記した突起９を形成する。突起９の形成方法については、既に、詳述したので、ここでは省略する。
【００４０】
ここに、重合体６Ａと補助シート６Ｂとの配置状態について説明する。つまり、図６（ハ）（二）に示すように、内側に位置する重合体６Ａは、合わせ部Ｂの長さに相当する長さで配置される。これに対して、補助シート６Ｂについては、重合体６Ａより短く、かつ、竿先側に寄った位置に配置されている。このように、重合体６Ａを合わせ部Ｂに相当する長さで設置していても、合わせ部Ｂの長さよりも短くしてあるので、元上１０を元竿１１より引き出し操作した場合に、重合体６Ａと補助シート６Ｂの竿先端が元竿１１の竿先端よりは突出することはなく、美観の向上を図ることができる。
しかも、重合体６Ａを合わせ部Ｂの竿先側の肩部分に設けてあるので、この部分の強度を向上させることができ、元上１０の合わせ部Ｂにおける竿先側端近傍に発生する「際折れ」と言われている竿の折損を回避できる。
【００４１】
〔第４実施形態〕
ここでは、第３実施形態で記載した第３補強パターン６とは異なる構成となるものについて説明する。ただし、第４実施形態では、第３補強パターン６を施すまでの構成は、第１実施形態で示したものから第３実施形態で示したものまでのものだけに止まらず、他の構成のものについても適用できる。
【００４２】
外側竿尻補強パターン６の構成としては、次ぎのようなものである。
第３実施形態においては、外側竿尻補強パターン６としては、強化繊維ｃを竿軸線Ｘに対して傾斜させて形成したプリプレグをその強化繊維ｃが互いに交差する状態となるように重ね合わせた重合体６Ａを使用していた。
ここでは、重合体６Ａとともに、次ぎのような補助シート６Ｂを重ね合わせて使用するようにする。
【００４３】
つまり、図７（イ）に示すように、補助シート６Ｂは、炭素繊維等の強化繊維ｃを円周方向に引き揃えたものにエポキシ等の熱硬化性樹脂を含浸させて形成したプリプレグ６ａに、ナイロンやポリエステル等の柔軟性の高い合成樹脂繊維ｃ又は天然繊維ｃをクロス組したものにエポキシ等の熱硬化性樹脂を含浸させて形成したプリプレグ６ｂを重ね合わせ、炭素繊維等を円周方向に引き揃えたプリプレグ６ａが内側となるように、重合体６Ａの上から巻回する。
図７（ロ）に示すように、補助シート６Ｂの軸線方向に沿った長さは重合体６Ａよりは短く、重合体６Ａの中間位置に位置するように補助シート６Ｂを巻回する。
【００４４】
補助シート６Ｂを設けた後に、補助シート６Ｂより竿先側に、前記した突起９を形成する。突起９の形成方法については、既に、詳述したので、ここでは省略する。補助シート６Ｂより竿尻側においては、重合体６Ａがそのまま表出した状態にある。
【００４５】
以上のように、外側竿尻補強パターン６としては、竿先側から竿尻側に向けて、突起９を施した突起領域Ｌ、柔軟性繊維ｃを表出させた補助シート領域Ｍ、重合体６Ａを表出させたバイアス領域Ｎをその順番に配置して、突起９、柔軟性繊維ｃ、重合体６Ａの表面を、相手側周面に夫々圧接させた状態で、合わせ部Ｂを構成する。
【００４６】
〔別実施構造〕
（１）  合わせ部Ｂを構成する対象は、元上１０、元竿１１以外の中竿等に適用してもよい。
（２）  突起９を形成する位置は、大径竿体の内周面に設けてもよい。
（３）  突起９を形成するには、吹き付け方法以外に型を使用した成形方法を使用してもよい。
（４）  本発明の構成は、振出竿式の渓流竿、鮎竿等に適用可能である。
【図面の簡単な説明】
【００４７】
【図１】元上と元竿との合わせ部に突起を設けて、両者を嵌合させた状態を示す縦断側面図
【図２】（イ）はメインパターン及び補強パターンをマンドレルに巻回する前の状態を示す斜視図、（ロ）は突起を形成している状態を示す斜視図
【図３】（イ）は口巻き補強パターンを巻回する前の状態を示す斜視図、（ロ）は第１プリプレグテープを巻回している状態を示す斜視図、（ハ）は第１、第２メインパターンを巻回する前の状態を示す斜視図、（ニ）は第２プリプレグテープを巻回し、外側竿尻補強パターンを巻回する前の状態を示す斜視図
【図４】外側竿尻補強パターンのうえに突起を設けて、元上と元竿との嵌合状態を示す縦断側面図
【図５】（イ）は口巻き補強パターンと内側竿尻補強パターンを巻回する前の状態を示す斜視図、（ロ）は第１プリプレグテープを巻回している状態を示す斜視図、（ハ）は第１、第２メインパターンと中間竿尻補強パターンとを巻回する前の状態を示す斜視図、（ニ）は第２プリプレグテープを巻回している状態を示す斜視図
【図６】（イ）は補助シートのクロス組みプリプレグの強化繊維のクロス組み状態を示す拡大断面図、（ロ）は（イ）の縦断面図、（ハ）は補助シートを巻回する前の状態を示す斜視図、（二）竿尻端部に補助シートを施して元上を引き出した状態を示す縦断側面図
【図７】（イ）外側竿尻補強パターンとして、突起領域、補助シート領域、バイアス領域とで構成したもので、バイアス領域を施したものに、突起と補助シートを施す前の状態を示す斜視図（ロ）外側竿尻補強パターンとして、突起領域、補助シート領域、バイアス領域を施して元上を引き出した状態を示す縦断側面図
【符号の説明】
【００４８】
６                      外側竿尻補強パターン
９                      突起
１０                    元上（小径竿体）
９                      元竿（大径竿体）
Ｂ                      合わせ部
θ3                     傾斜角
ｃ                      強化繊維（柔軟性繊維）
Ｘ                      竿軸線
Ｌ                      突起領域
Ｍ                      補助シート領域
Ｎ                      バイアス領域
【図１】
2008263819.tif 000003
【図２】
2008263819.tif 000004
【図３】
2008263819.tif 000005
【図４】
2008263819.tif 000006
【図５】
2008263819.tif 000007
【図６】
2008263819.tif 000008
【図７】
2008263819.tif 000009